(57)【要約】【課題】その厚さ方向に通る空気の流速が小さくなったり、通気孔に目詰まりが生じたり、見栄えが悪くなるのを防止することができる通気性カーペットを提供する。【解決手段】複数のパイル列３８が互いにほぼ等間隔で平行に並んで構成されるパイル層３６と、パイル列３８同士の間に通気孔４０を有するバッキング層３２とを備えるようにした。【効果】通気性カーペットにおける、その厚さ方向に通る空気の流速が小さくなったり、通気孔に目詰まりが生じたり、見栄えが悪くなるのを防止することができる。【選択図】図２
2010148805.tif 000002
【特許請求の範囲】
【請求項１】
複数のパイル列が互いにほぼ等間隔で平行に並んで構成されるパイル層と、前記パイル列同士の間に通気孔を有するバッキング層とを備えた
ことを特徴とする通気性カーペット。
【請求項２】
前記通気孔の位置決めに画像処理を用いたことを特徴とする請求項１に記載の通気性カーペット。
【発明の詳細な説明】
【技術分野】
【０００１】
本発明は、その厚さ方向に空気が通るための通気孔を有する通気性カーペットに関するものである。
【背景技術】
【０００２】
従来の通気性カーペットとしては、例えば、図５に示すような通気性タイルカーペット２があった（第１の従来の通気性タイルカーペット）。同図は、従来の通気性タイルカーペット２が載置された通気性支持床４の一部を示す部分拡大断面図である。同図に示すように、通気性支持床４には、複数の通気孔６が形成されている（例えば、特許文献１参照）。
【０００３】
上記従来の通気性タイルカーペット２は、カーペット層１２とバッキング層１０とで構成される２層構造になっている。この通気性タイルカーペット２のカーペット層１２は、例えば、厚さ方向に通気性を有するシート材に、実質的にカーペットを構成するパイルを植毛したような状態のカーペットにより構成され、このようなカーペット層１２の上記シート材がバッキング層１０の上面に、部分的に塗布される接着剤により貼付けられている。
【０００４】
通気性タイルカーペット２のバッキング層１０は、粉砕して形成された異形の、粒径２ｍｍから５ｍｍ位の多数のウレタンゴムのチップを周りから押し固めて、予めそのチップの表面に塗布しておいたウレタン樹脂系のバインダーを加熱溶融させ、その溶融したバインダーを介して互いにチップ同士を付着させることにより、異形のチップ間に空隙ができるように形成したものである。このような構成により通気性タイルカーペット２は、その厚さ方向に通気性を有するようにしていた。
【０００５】
このような通気性タイルカーペット２と、この通気性タイルカーペット２が載置された通気性支持床４によれば、これらが敷設された部屋において、この通気性支持床４の下側の空間に連通する不図示のエアーダクト等を設置することにより、この不図示のエアーダクト等から送り出される温度等が調整された空気を、通気性支持床４の通気孔６及び通気性タイルカーペット２のバッキング層１０の異形のチップ間とカーペット層１２の細い通気孔を通って、通気性タイルカーペット２上の室内空間に空気を供給するような、室内空間の空調を行うことができるようになっていた。
【０００６】
また、図６は、上記第１の従来の通気性タイルカーペット２とは異なる別の通気性タイルカーペット１６（第２の従来の通気性タイルカーペット）と、この通気性タイルカーペット１６が載置された通気性支持床１８の一部を示す部分拡大断面図である。同図に示すように、通気性支持床１８には、やはり複数の通気孔２０が形成されている。
【０００７】
また、上記第２の従来の通気性タイルカーペット１６は、ループパイル２３等により構成されたパイル層２４と、そのループパイル２３の基部を保持するバッキング層２２とで構成される、２層構造になっている。パイル層２４のループパイル２３のそれぞれは、そのバッキング層２２の上側に略逆Ｕ字型のループ状に露出する長さ部分における、両下端部それぞれの延長部分がバッキング層２２の表層部に植え込まれている。
【０００８】
このループパイル２３のそれぞれにおける、バッキング層２２の上側に露出する長さ部分の両下端部のそれぞれを、基部と呼ぶこととする。ループパイル２３の両下端部の基部それぞれは、その下側に延長するバッキング層２２に植え込まれている長さ部分を介して、互いに隣り合うループパイル２３の基部とバッキング層２２内で繋がっている。
【０００９】
このような通気性タイルカーペット１６は、そのパイル層２４とバッキング層２２の両方を貫通して連通する、水平断面が丸孔形状の複数の通気孔２６が、水平面において互いに略等間隔をおいて配置されて形成されている。
【００１０】
このような通気性タイルカーペット１６と、この通気性タイルカーペット１６が上面に載置された通気性支持床１８によれば、上記した第１の従来の通気性タイルカーペット２と通気性支持床４との組み合わせと同様に、これらが敷設された部屋において、この通気性支持床１８の下側の空間に連通する不図示のエアーダクト等を設置することにより、この不図示のエアーダクト等から送り出される温度等が調整された空気を、通気性支持床１８の通気孔２０及び通気性タイルカーペット１６の通気孔２６を通して、やはり通気性タイルカーペット１６上の室内空間に空気を供給して、室内空間の空調を行うことができるようになっていた。
【特許文献１】特公平８−２９１２４号公報
【発明の開示】
【発明が解決しようとする課題】
【００１１】
しかしながら、上記第１の従来の通気性タイルカーペット２においては、バッキング層１０における互いに付着したチップ間の微細な空隙を空気が通るようになっているため、この通気性タイルカーペット２をその厚さ方向に空気が通る際の抵抗が大きいので、空調を行う場合の時間当りの空気流量が少ない（流速が小さい）ため、通気性タイルカーペット２上の室内温度が設定温度に達するまでに長い時間がかかるという問題があった。
【００１２】
また、上記従来の通気性タイルカーペット２においては、バッキング層１０のチップ間の空隙は目が細かいわずかなものであるため、小さなゴミでも目詰まりしたり、重量物を載せた際につぶれてしまったりするという問題があった。
【００１３】
また、上記第２の従来の通気性タイルカーペット１６においては、複数の通気孔２６をパンチング加工により形成する際に、この通気孔２６の周縁部におけるパイル層２４のループパイル２３が、そのループ状に露出する長さ中央部分で切断されてしまう現象が多発するため、ループパイル２３がほつれ易いと共に、通気孔２６が目立って通気性タイルカーペット１６の見栄えが悪くなるという問題があった。
【００１４】
そこで本発明は、上記問題点に鑑みて、その厚さ方向に通る空気の流速が小さくなったり、通気孔に目詰まりが生じたり、見栄えが悪くなるのを防止することができる通気性カーペットを提供することを課題とするものである。
【課題を解決するための手段】
【００１５】
上記課題を解決するために、本発明による通気性カーペットは、
複数のパイル列が互いにほぼ等間隔で平行に並んで構成されるパイル層と、前記パイル列同士の間に通気孔を有するバッキング層とを備えたことを特徴とするものである。
【００１６】
また、本発明による通気性カーペットは、前記通気孔の位置決めに画像処理を用いたことを特徴とするものである。
【発明の効果】
【００１７】
このような本発明の通気性カーペットによれば、
複数のパイル列が互いにほぼ等間隔で平行に並んで構成されるパイル層と、前記パイル列同士の間に通気孔を有するバッキング層とを備えたことにより、
その厚さ方向に通る空気の流速が小さくなったり、通気孔に目詰まりが生じたり、或いは見栄えが悪くなるのを防止することができる。
【００１８】
また、本発明の通気性カーペットによれば、
前記通気孔の位置決めに画像処理を用いたことにより、
前記通気孔を前記パイル列同士の間に確実に配置することができる。
【発明を実施するための最良の形態】
【００１９】
以下、本発明に係る通気性カーペットを実施するための最良の形態について、図面に基づいて具体的に説明する。
図１から図４は、本発明の一実施の形態に係る通気性タイルカーペット３０（通気性カーペット）について説明するために参照する図である。
【００２０】
本実施の形態に係る通気性タイルカーペット３０は、図１に示すように、その平面形状が略正方形であるタイル状に形成されている。これにより、通気性タイルカーペット３０は、例えば、不図示の通気性支持床としてのフリーアクセスフロアの上に縦横に複数並べて敷くことができるようになっている。
【００２１】
図２は、この通気性タイルカーペット３０の平面領域の一部を拡大して示す部分拡大平面図であり、図３は、図２中におけるＡ―Ａ線矢視の部分拡大断面図である。通気性タイルカーペット３０は、図３に示すように、パイル層３６とバッキング層３２とを備えている。
【００２２】
通気性タイルカーペット３０のパイル層３６は、バッキング層３２の上側に、略逆Ｕ字型のループ形状を成して露出する複数のループパイル３４で構成されている。このループパイル３４を成す１本のパイル糸は、このパイル糸よりも細い複数のパイル用繊維３５が束ねられて構成されている。これにより、ループパイル３４のそれぞれは、図２及び図３に示すように、寸法Ｄで示す太さを有している。
【００２３】
また、この複数のループパイル３４のそれぞれは、上述したとおり、図３に示すように、その露出する長さ部分が略逆Ｕ字型のループ形状を成しているため、通気性タイルカーペット３０は、その上側から見下ろしたときには、図２に示すように、これら複数のループパイル３４のそれぞれについて、図３中の寸法Ｐで示す範囲の上面だけを視認することができる。
【００２４】
また、ループパイル３４のそれぞれは、図３に示すように、そのバッキング層３２の上側に露出するループ状の長さ部分の両下端部それぞれの下側方向に伸びる長さ延長部分が、バッキング層３２に植え込まれていることにより、バッキング層３２に保持されている。
【００２５】
ここで、ループパイル３４それぞれの両下端部のそれぞれを、基部３４ａと呼ぶこととする。ループパイル３４それぞれの両下端部の基部３４ａそれぞれは、これら基部３４ａ同士が互いに対向する方向（図３中左右方向）の延長方向において、これら基部３４ａそれぞれの下側に延長する、バッキング層３２に植え込まれている長さ部分を介して、互いに隣り合って配置されるループパイル３４の基部３４ａと、バッキング層３２内で繋がっている。
【００２６】
したがって、ループパイル３４のそれぞれは、その両下端部の基部３４ａ同士が互いに対向する方向（図３中左右方向）の延長方向に配置される他の複数のループパイル３４と一体的に、１本のパイル糸から形成されている。このような１本のパイル糸から形成される複数のループパイル３４同士は、図２中では上下方向よりも若干時計回り方向に傾いた方向（以後の説明において、便宜上、略上下方向という。）に並んで配置されている。
【００２７】
また、ループパイル３４のそれぞれは、図２中左右方向においても他のループパイル３４と互いに隣り合うように配置されている。これにより、複数のループパイル３４は、図２中左右方向にほぼ一直線上に連なって配置され、パイル列３８を形成するようになっている。通気性タイルカーペット３０のパイル層３６（図３参照）は、図２に示すように、上記のようなパイル列３８が、図２中上下方向にほぼ等しい間隔を置いて互いに平行になるように複数並んで構成されている。
【００２８】
また、通気性タイルカーペット３０のバッキング層３２には、図２及び図３に示すように、このバッキング層３２をその厚さ方向に貫通する複数の通気孔４０が形成されている。この複数の通気孔４０のそれぞれは、図２に示すように、図２中左右方向に一定間隔を置いて互いに離れて形成されていると共に、図２中上下方向に間隔を置いて並ぶ複数のパイル列３８同士の間に形成される複数の狭間（はざま）のうち、その間に４つのパイル列３８を挟んで離れて配置される狭間に開口するように形成されている。
【００２９】
このような通気性タイルカーペット３０は、そのバッキング層３２に複数の通気孔４０が形成される前の状態から、例えば、図４に示すように、画像処理装置４２と、カメラ４４と、マシニングセンタ４６とを備える通気性タイルカーペット製造装置４８により、以下の手順で形成される。
【００３０】
ここで、通気性タイルカーペット３０は、そのバッキング層３２に複数の通気孔４０が形成される前の状態においては通気性を備えていないので、このような状態のものについては、「通気性」との記載部分を外してタイルカーペット３０と呼ぶことがあるものとする。
【００３１】
まず、通気孔４０が形成される前の状態のタイルカーペット３０は、通気性タイルカーペット製造装置４８におけるマシニングセンタ４６内の不図示のテーブル上に載置される。
【００３２】
通気性タイルカーペット製造装置４８は、このタイルカーペット３０をカメラ４４で撮影すると共に、その画像データ又は映像データについての画像処理を画像処理装置４２で行なうことにより、図２に示すタイルカーペット３０の複数のパイル列３８同士の間の複数の狭間の位置や幅等を検出する。
【００３３】
また、タイルカーペット製造装置４８は、図４に示すように、画像処理装置４２による検出結果に基づいて、マシニングセンタ４６の動作が制御されるようになっている。タイルカーペット製造装置４８は、このマシニングセンタ４６が備えるドリル又は錐（きり）等の工具５０により、図２に示すように、タイルカーペット３０のバッキング層３２に、パイル列３８同士の間の狭間に開口する複数の通気孔４０を形成するようになっている。
【００３４】
なお、タイルカーペット製造装置４８は、タイルカーペット３０のバッキング層３２に通気孔４０を形成する際には、図４に示すように、このバッキング層３２の上側のパイル層３６を傷付けないようにするために、そのマシニングセンタ４６の工具５０の先端部が、タイルカーペット３０の下面側、すなわち、このタイルカーペット３０のバッキング層３２における、パイル層３６側とは反対の面の側から加工を行なうようになっている。
【００３５】
このような本実施の形態に係る通気性タイルカーペット３０によれば、図２に示すように、そのバッキング層３２に複数の通気孔４０が形成されることにより、この通気性タイルカーペット３０の厚さ方向に通る空気の流速が小さくなったり、この通気孔４０に目詰まりが生じたりするのを防止することができる。
【００３６】
また、本実施の形態に係る通気性タイルカーペット３０によれば、そのバッキング層３２の複数の通気孔４０のそれぞれが、パイル列３８同士の間の狭間に開口するように形成されているので、以下のような観点から、この通気性タイルカーペット３０の見栄えが悪くなるのを防止することができる。
【００３７】
つまり、通気性タイルカーペット３０におけるバッキング層３２の通気孔４０が、仮に、パイル列３８同士の間の狭間以外の個所に開口するように形成される場合には、この通気孔４０を形成するドリル等の工具により、図３に示すループパイル３４におけるバッキング層３２の上側の逆Ｕ字状の露出部分の長さ中間部分が切断されてしまったり、基部３４ａがその下側延長部分のバッキング層３２に植え込まれている長さ部分と切り離されたりしてしまうので、ループパイル３４がほつれて、通気性タイルカーペット３０の見栄えが悪くなってしまう。
【００３８】
これに対して、本実施の形態に係る通気性タイルカーペット３０では、その通気孔４０が、パイル列３８同士の間の狭間に開口するように形成されているので、図３に示すように、１本のパイル糸で一体的に形成される複数のループパイル３４のうち、互いに隣り合うループパイル３４同士のバッキング層３２中に植え込まれた部分の繋がりが切断されるおそれがまれにはあるものの、ループパイル３４自体は、そのバッキング層３２の上側の逆Ｕ字状の露出部分の長さ中間部分が切断されるおそれはなく、また、基部３４ａがその下側延長部分から切り離されるおそれも生じないようになっている。
【００３９】
このため、通気性タイルカーペット３０においては、そのループパイル３４がほつれ易くなるのを防止することができるので、そのほつれにより通気性タイルカーペット３０の見栄えが悪くなるのを防止することができる。
【００４０】
また、本実施の形態に係る通気性タイルカーペット３０によれば、そのバッキング層３２の複数の通気孔４０のそれぞれが、パイル列３８同士の間の狭間に開口するように形成されていることにより、この通気孔４０がその開口周縁部のループパイル３４により隠れて目立たなくなるので、やはり、通気性タイルカーペット３０の見栄えが悪くなるのを防止することができる。
【００４１】
また、本実施の形態に係る通気性タイルカーペット３０によれば、通気孔４０の位置決めに、画像処理を行なう画像処理装置４２を用いたことにより、通気孔４０をパイル列３８同士の間に確実に配置して形成することができるので、通気性タイルカーペット３０の見栄えが悪くなるのを確実に防止することができる。
【００４２】
なお、本実施の形態に係る通気性タイルカーペット３０は、図３に示すように、そのパイル層３６のループパイル３４の基部３４ａが、バッキング層３２内に埋め込まれて延長する長さ部分を介して互いに隣り合うループパイル３４の基部３４ａと繋がるように構成されていたが、そのように繋がっていなくてもよい。
【００４３】
また、本実施の形態に係る通気性タイルカーペット３０においては、図２に示すように、図２中上下方向に間隔をおいて並ぶ複数のパイル列３８は、これら複数のパイル列３８のそれぞれを構成するループパイル３４が並ぶ間隔（図２中左右方向の間隔）が互いに同一になっていたが、パイル列３８ごとに異なる間隔になっていてもよい。また、同じパイル列３８内においても互いに隣り合うループパイル３４同士の間隔が異なるようになっていてもよい。
【００４４】
また、本実施の形態に係る通気性タイルカーペット３０においては、図３に示すように、１本のパイル糸から一体的に形成される複数のループパイル３４同士の並ぶ方向が、図２に示すように、複数のパイル糸のいずれのものについても、同図中の略上下方向を向いて互いに平行になっていたが、図２中上下方向に間隔をおいて並ぶパイル列３８のそれぞれが、図２中左右方向に伸びるように一直線状に形成され、かつ、互いに平行に配置されるようになってさえいれば、パイル糸同士がバッキング層３２内で交差したり絡んだりするようにして、１本のパイル糸から一体的に形成される複数のループパイル３４の並ぶ方向が、パイル糸ごとに互いに異なる方向を向くようになっていたり、途中で折れ曲がったりするようになっていてもよい。
【００４５】
換言すると、本実施の形態に係る通気性タイルカーペット３０は、図２中上下方向に並ぶ複数のパイル列３８のそれぞれにおいて、そのパイル列３８を構成するループパイル３４のそれぞれが属しているパイル糸の並び方が、パイル列３８が伸びる方向（図２中左右方向）に互いに同じ順番になっているが、パイル糸同士がバッキング層３２内で交差したり絡んだりすることにより、その並び方の順番が入れ替わったり、重複したり、抜けたりするようになっていてもよい。
【００４６】
また、本実施の形態に係る通気性タイルカーペット３０においては、その通気孔４０を形成する際の位置決めに、画像処理装置４２を用いていたが、画像処理装置４２を用いる代わりに、目視するようにしてもよいし、或いは、画像処理装置４２以外の他の計測手段等を用いるようにしてもよい。
【００４７】
また、本実施の形態に係る通気性タイルカーペット３０においては、その通気孔４０が、図２に示すように、同図中の上下方向に間隔を置いて並ぶ複数のパイル列３８同士の間に形成される複数の狭間（はざま）のうち、その間に４つのパイル列３８を挟んで離れて配置される狭間に開口するように形成されていたが、４つ以外の任意の数のパイル列３８を挟んで離れて配置される狭間に開口するように形成されていてもよい。
【００４８】
また、本実施の形態においては、本発明を通気性タイルカーペット３０に対して適用した場合について説明したが、本発明は、通気性タイルカーペット以外の他の通気性カーペットに対しても適用することができる。
【図面の簡単な説明】
【００４９】
【図１】本発明の一実施の形態に係る通気性タイルカーペット３０を示す平面図である。
【図２】図１に示す通気性タイルカーペット３０の一部領域を示す部分拡大平面図である。
【図３】図２に示す通気性タイルカーペット３０のＡ−Ａ線矢視の部分拡大断面図である。
【図４】本発明の一実施の形態に係る通気性タイルカーペット３０の製造装置４８を示す正面図ある。
【図５】第１の従来のタイルカーペット２、及び通気性支持床４を示す部分拡大断面図である。
【図６】第２の従来のタイルカーペット１６、及び通気性支持床１８を示す部分拡大断面図である。
【符号の説明】
【００５０】
２  タイルカーペット
４  通気性支持床
６  通気孔
１０  バッキング層
１２  カーペット層
１６  タイルカーペット
１８  通気性支持床
２０  通気孔
２２  バッキング層
２３  ループパイル
２４  カーペット層
２６  通気孔
３０  タイルカーペット
３２  バッキング層
３４  ループパイル
３４ａ  基部
３６  パイル層
３５  パイル用繊維
３８  パイル列
４０  通気孔
４２  画像処理装置
４４  カメラ
４６  マシニングセンタ
４８  通気性タイルカーペット製造装置
５０  工具
【図１】
2010148805.tif 000003
【図２】
2010148805.tif 000004
【図３】
2010148805.tif 000005
【図４】
2010148805.tif 000006
【図５】
2010148805.tif 000007
【図６】
2010148805.tif 000008